(57)【特許請求の範囲】
【請求項１】
造成すべき地下構造物に適合する敷地の境界線周囲に、適宜の間隙を置いて、前記造成すべきピットの高さより大なる深さを有する孔を複数個穿設し、該孔内にセメント混合材により根固めすることによってＨ形鋼を、その凹部側が互いに向かい合うように、建て込み固定し、次に、前記Ｈ形鋼に対向する地山側を含めて前記造成すべき前記地下構造物に適合するまで地下構造物形成用のピット穴を掘削しながら順次互いに隣り合う前記Ｈ形鋼の地山側に矢板を添設するように差し込んでいって、地山の土留めを行った後に、前記ピット穴の床付け均しを行って砕石を敷き、次に、前記Ｈ形鋼の前記ピット穴側に型枠を設置して、該型枠と前記Ｈ形鋼の凹部側及び矢板が形成する空間内にコンクリートを流し込んで、前記Ｈ形鋼および矢板とともに前記地下構造物のピット壁部を形成し、その後前記型枠を取り去るようにしたことを特徴とする駐車場設置用地下ピット等の地下構造物工事工法。
【請求項２】
前記型枠を取り去った後、前記ピット壁部の上端部に笠石コンクリートを打設して被覆したことを特徴とする請求項１記載の駐車場設置用地下ピット等の地下構造物工事工法。
【請求項３】
前記ピット壁部の形成前に、前記ピット穴の底部に底盤コンクリート打ちを行って、ピット底盤部を形成したことを特徴とする請求項１又は２記載の駐車場設置用地下ピット等の地下構造物工事工法。
【請求項４】
前記ピット壁部の形成後に、前記ピット穴の底部に底盤コンクリート打ちを行って、ピット底盤部を形成したことを特徴とする請求項１又は２記載の駐車場設置用地下ピット等の地下構造物工事工法。
【請求項５】
前記矢板が、横矢板であることを特徴とする請求項１乃至４記載のいずれか１の駐車場設置用地下ピット等の地下構造物工事工法。
【請求項６】
前記矢板が、縦矢板であって、該縦矢板を支えるべく、互いに対向する前記Ｈ形鋼の間に等円辺山形等の形鋼からなる横架片を横架させたことを特徴とする請求項１乃至４記載のいずれか１の駐車場設置用地下ピット等の地下構造物工事工法。
【請求項７】
前記矢板が、敷き鉄板等の鋼板であることを特徴とする請求項１乃至４記載のいずれか１の駐車場設置用地下ピット等の地下構造物工事工法。
【請求項８】
前記矢板のピット穴側面側に防水シートを張設した後に、前記型枠とＨ形鋼の凹部及び矢板が形成する空間内にコンクリートを流し込んでピット壁部を形成するようにしたことを特徴とする請求項１乃至７記載のいずれか１の駐車場設置用地下ピット等の地下構造物工事工法。
【請求項９】
前記Ｈ形鋼の前記ピット壁部に当接する部位に、予め、水膨張性の止水材を取着しておき、該止水材によってＨ形鋼とピット壁部間の防水構造としたことを特徴とする請求項１乃至８記載のいずれか１の駐車場設置用地下ピット等の地下構造物工事工法。
【請求項１０】
前記ピット壁部と前記ピット底盤部との接合部位に、水膨張性の止水材を設置しておき、該止水材によってピット壁部と前記ピット底盤部との間の防水構造としたことを特徴とする請求項１乃至９記載のいずれか１の駐車場設置用地下ピット等の地下構造物工事工法。
【請求項１１】
前記Ｈ形鋼の前記ピット壁部に当接する部位に、予め、鉄筋を取着しておき、該鉄筋によってＨ形鋼とピット壁部間の防水構造としたことを特徴とする請求項１乃至８記載のいずれか１の駐車場設置用地下ピット等の地下構造物工事工法。
【請求項１２】
前記ピット壁部を一対使用して、該両ピット壁部を互いに離間させて対向させ、これらピット壁部の上部に上蓋を設置して構成したことを特徴とする請求項１又は請求項３乃至１１のうちいずれか１記載の駐車場設置用地下ピット等の地下構造物工事工法。
【発明の詳細な説明】
【０００１】
【発明の属する技術分野】
本発明は、地下室に駐車場を設置するための地下ピット等の地下構造物工事工法に関する。
【０００２】
【従来の技術】
従来のこの種地下構造物工事工法としては、仮設の山留めを行い、山留め工の内側を掘削し、掘削した内側にコンクリートを打設して行く在来工法、コンクリート二次製品のＬ形ブロックを据え付けて行くＬ形ブロック工法、或いは、ＰＣ版を使用した親杭横矢板工法等が知られている。
【０００３】
【発明が解決しようとする課題】
しかしながら、上記いずれの工法も、それぞれ解決すべき課題を持っている。
【０００４】
すなわち、在来工法の場合には、仮設山留めが必要なために、工期が長くなりがちであり、また、仮設山留め付設のためのスペースが敷地の一部を占有してしまい、地下構造物を敷地一杯に設置することは難しく、もし使おうとすれば、山留め自体を埋め殺しにせざるをえず、コスト的に不利となり、しかも、地下水位が高い敷地における付設した地下構造物の浮き上がりを防止するために、打設するコンクリートの量を多くして重量を増やす必要があり、この点からもコスト高の要因となってしまう。
【０００５】
また、Ｌ形ブロック工法の場合には、仮設山留めを必要とする工法であるといえるが、Ｌ形ブロック自体コンクリート二次製品であるために、工期自体を短縮することはできる。反面、前記在来工法と同様、地下水位が高い敷地における付設した地下構造物の浮き上がりを防止するために、打設するコンクリートの量を多くして重量を増やす必要があり、この点からもコスト高の要因となってしまう。
【０００６】
更に、ＰＣ版を使用した親杭横矢板工法の場合には、親杭がアンカーとなるとともに山留め壁となることから、地下水による地下構造物の浮き上がりの防止や仮設山留めを不要とする反面、横矢板間の隙間を通って地下構造物内へ地下水の流入の虞があり、特に地下水位の高い場所での採用が不適であるといえる。
【０００７】
そこで、本発明は、上記従来の問題を解決するもので、敷地スペースの一部を占有する仮設山留めをなくすとともに、地下水位の高い敷地において、多量のコンクリートの打設なくして、敷設地下構造物の地下水による浮き上がりが防止でき、しかもコスト的に有利な駐車場設置のための地下ピット等の地下構造物工事工法を提供することを目的としている。
【０００８】
【課題を解決するための手段】
上記目的を達成するために、請求項１に記載の本発明は、造成すべき地下構造物に適合する敷地の境界線周囲に、適宜の間隙を置いて、前記造成すべきピットの高さより大なる深さを有する孔を複数個穿設し、該孔内にセメント混合材により根固めすることによってＨ形鋼を、その凹部側が互いに向かい合うように、建て込み固定し、次に、前記Ｈ形鋼に対向する地山側を含めて前記造成すべき前記地下構造物に適合するまで地下構造物形成用のピット穴を掘削しながら順次互いに隣り合う前記Ｈ形鋼の地山側に矢板を添設するように差し込んでいって、地山の土留めを行った後に、前記ピット穴の床付け均しを行って砕石を敷き、次に、前記Ｈ形鋼の前記ピット穴側に型枠を設置して、該型枠と前記Ｈ形鋼の凹部側及び矢板が形成する空間内にコンクリートを流し込んで、前記Ｈ形鋼および矢板とともに前記地下構造物のピット壁部を形成し、その後前記型枠を取り去るようにしたことを特徴とするものである。
【０００９】
この結果、Ｈ形鋼が造成すべき地下構造物の高さより大なる深さに埋め込まれ、当該部部がアンカー部となった状態で、Ｈ形鋼の凹部及び矢板と型枠が形成する空間内にコンクリートを流し込んで地下構造物を構成するピット壁部を形成していることから、水位の高い敷地の場合でも、敷設地下構造物の地下水による浮き上がりを防止でき、Ｈ形鋼および矢板はそのまま埋め殺しとするので、仮設土留めを不要となり、また、ピット壁部を形成するためのコンクリート打ちは現場打ちとなることから、敷設地下構造物への地下水の進入を確実に防げ、水密性に富んだ地下構造物工法といえ、しかも、地下水による敷設地下構造物の浮き上がり防止機能や水密性に富んでいることから、壁部コンクリート或いは底盤コンクリートの鉄筋量および肉厚共に少なくすることができて、この結果、コスト的にも有利であるといえる。
【００１０】
請求項２に記載の本発明は、前記型枠を取り去った後、前記ピット壁部の上端部に笠石コンクリートを打設して被覆したことを特徴とする。
【００１１】
請求項３に記載の本発明は、前記ピット壁部の形成前に、前記ピット穴の底部に底盤コンクリート打ちを行って、ピット底盤部を形成したものであり、又、請求項４に記載の本発明は、前記ピット壁部の形成後に、前記ピット穴の底部に底盤コンクリート打ちを行って、ピット底盤部を形成したもので、当該敷地の地下水の状態で、地下水の湧水が問題無い場合には、作業のし易さから選択して、底盤コンクリート打ちをピット壁部の形成前に行い、湧水の問題がある場合には、ピット壁部の形成後に、底盤コンクリート打ちを行えばよい。
【００１２】
請求項５に記載された本発明は、前記矢板が、横矢板であることを特徴とするもので、当該敷地の形状に適合して、横矢板同士を隙間なく張設することができて、比較的地下水位の高い敷地であっても、適応可能である。
【００１３】
請求項６に記載の本発明は、前記矢板が、縦矢板であって、該縦矢板を支えるべく、互いに対向する前記Ｈ形鋼の間に等円辺山形鋼等の型鋼からなる横架片を横架させたものであり、同様に、当該敷地の形状に適合して、縦矢板同士を隙間なく張設することができて、比較的地下水位の高い敷地であっても、適応可能である。そして、Ｈ形鋼間に等辺山形鋼等の型鋼からなる横架片を横架している結果、Ｈ形鋼間の間隙を長くしたとしても、その分強度的には横架片が受け持つことになり、問題はない。
【００１４】
請求項７に記載の本発明は、前記矢板が、敷き鉄板等の鋼板であることを特徴とするもので、地山の比較的状態の良い敷地である場合に好適である。そして、鋼板に剥離剤を予め塗っておく等すれば、前記ピット壁部を形成するために打設したコンクリートの強度が所定値に達したときに、静かに引き抜いてしまうこともでき、再利用によるコスト低減を図ることができる。
【００１５】
請求項８に記載の本発明は、前記矢板の前記ピット穴の側面側に防水シートを張設した後に、前記型枠とＨ型鋼の凹部及び矢板が形成する空間内にコンクリートを流し込んでピット壁部を形成するようにしたことを特徴とするもので、防水シートの存在により、矢板同士の間から万一地中水が染み出した場合でも、防水シートによって打設した生コンクリートに地中水が混じり合うのを防ぐことができ、所要強度のピット壁部を形成することが可能となる。
【００１６】
請求項９に記載の本発明は、前記Ｈ形鋼の前記ピット壁部に当接する部位に、予め、水膨張性の止水材を取着しておき、該止水材によってＨ形鋼とピット壁部間の防水構造としたもので、前記止水材によってＨ形鋼と打設したコンクリートとの間で、密着性が低い場合に、地中水が回り込んできたとしても、止水材が膨張して、地下構造物内に漏洩させることを防止する。
【００１７】
請求項１０に記載の本発明は、前記ピット壁部とピット底盤部との接合部にも、水膨張性の止水材を設置して、該止水材によってピット壁部とピット底盤部との接合部間の防水構造としたことを特徴とするもので、ピット壁部とピット底盤部との間で密着性が低い場合に、地中水が回り込んできたとしても、止水材が膨張して、地下構造物内に漏洩させるのを防止する。
【００１８】
請求項１１に記載の本発明は、前記Ｈ形鋼の前記ピット壁部に当接する部位に、予め、鉄筋を取着しておき、該鉄筋によってＨ形鋼とピット壁部間の防水構造としたことを特徴とするもので、前記鉄筋によってＨ形鋼と打設したコンクリートとの間で、密着性が低い場合に、地中水が回り込んできたとしても、地下構造物内に漏洩させることを防止する。
【００１９】
請求項１２に記載の本発明は、前記ピット壁部を一対使用して、該両ピット壁部を互いに離間させて対向させ、これらピット壁部の上部に上蓋を設置して構成したことを特徴とするものである。
【００２０】
【発明の実施の形態】
以下、本発明の実施の形態に係る駐車場等設置のための地下ピット工事工法を、図１乃至図９を用いて、順次説明する。
【００２１】
先ず、図１において、造成すべき地下構造物例えば駐車場設置用のピットに適合する敷地１の周囲に、適宜の間隙を置いて、造成すべきピットの高さより大なる深さを有する孔２を複数個穿設し、孔２内にモルタル、セメントペースト、フライアッシュ或いはコンクリート等のセメント混合材３を挿入して根固めを行い、順次Ｈ形鋼４を挿入してセメント混合材３により孔２内に敷設固定する。このとき、互いに隣り合うＨ形鋼４同士は、その凹部４ａ側が向かい合うように敷設されている（図２の状態）。次に、図３に示すように、Ｈ形鋼４に対向する地山５側を含めて、造成すべきピットＰに適合するピット穴（地下構造物を構成する穴としての）７を掘削して、この掘削の進行過程において、順次互いに隣り合うＨ形鋼４の地山側に矢板である横矢板６を添設すべく差し込んで地山５の土留めを行う（図４及び図５参照）。
【００２２】
その後、前記掘削で形成されたピット穴７の底部に床付け均しを行って砕石８を敷きつめる。場合によっては、この砕石を敷きつめるだけで、ピットＰのピット底盤部１４を完成してもよいが、通常、図９に示すように底部コンクリート１３を打つことにより、地下構造物の底盤部を構成するピット底盤部１４を完成する。次に、Ｈ形鋼４のピット穴７側に型枠９を設置して（図７参照）、型枠９とＨ形鋼４の凹部４ａ側及び横矢板６が形成する空間１０内にコンクリートを流し込んで、Ｈ形鋼４および横矢板６とともにピット壁部１１を形成する。
【００２３】
その後、ピット壁部１１が固化した後、型枠９を取外す。この型枠を取り去った後、ピット壁部１１の上端部に笠石コンクリート１２を打設して被覆し、ピットＰが完成する（図９乃至図１１参照）。
【００２４】
なお、上記実施の形態では、ピット底盤部１４を形成した後、ピット壁部１１を形成するようにしているが、これは、地山の地下水位等の関係で、地盤条件が良い場合であるが、もし地盤条件が悪い場合には、ピット底盤部１４を形成する前に、型枠９を付設して、ピット壁部１１を形成することによって、先ず地山の土留めを行う。
【００２５】
又、Ｈ形鋼４の凹部４ａにおけるピット壁部１１に当接する部位に、図１２に示すように、予め、水膨張性の止水材１５を取着しておけば、ピット壁部１１と凹部４ａとの間の密着性が低い場合でも、地中水が回り込んできても、止水材１５が適宜膨張して、ピットＰ内への水漏れを防止することができる。
【００２６】
同様に、ピット壁部１１とピット底盤部１４との接合部にも、図１０に示すように、水膨張性の止水材１５を設置しておき、止水材１５によってピット壁部１１とピット底盤部１４間の防水構造としている。
【００２７】
図１３は、本発明の他の実施の形態を示すもので、上記実施の形態では、矢板として、横矢板６を使用したが、これに代えて、縦矢板１６を使用したものである。即ち、建て込み固定した複数のＨ形鋼４のうち互いに隣り合うＨ形鋼４１と４２との間に、縦軸方向に適宜間隙をおいて、等辺山形鋼等の形鋼からなる複数の横架片１７を横架させておき、この横架片１７が支えるように、縦矢板１６を順次付設しておき、地山の土留めを行うと共に、ピット壁部１１の一部を形成する。
【００２８】
従って、前記横架片１７の両端は、Ｈ形鋼４１、４２の凹部４ａの地山側辺部に添設するようになっている（図１４及び図１５参照）。
【００２９】
図１６は、本発明の更に他の実施の形態を示したもので、矢板として、敷き鉄板等の鋼板２６を用いたものであり、この実施の形態は、地山の比較的条件の良い敷地である場合が好適であり、鋼板２６に予め剥離剤を塗っておく等すれば、ピット壁部１１を形成するためのコンクリートの強度が所定値に達するまでに固化した後、静かに引き抜いてしまうこともでき、再利用によるコスト低減を図ることができる。
【００３０】
図１７及び図１８は、本発明の異なる実施の形態を示したもので、横矢板６（或いは縦矢板１６、鋼板２６も同様）のピット穴７側に面する部位に、予め、止水シート１８を張設した後、コンクリート打ちを行うようにしたもので、互いに隣り合う横矢板６同士の間から、万一地中水が出た場合でも、止水シートによって打接した生コンクリートに地中水が混じり合うことを防ぐことができ、所望の強度のピット壁部１１を形成することができる。
【００３１】
図１９および図２０は、本発明の更に異なる実施の形態を示すもので、Ｈ形鋼４の凹部４ａに、前記止水材１５の代わりに、ジベル筋或いは差筋等の鉄筋（不図示）を複数個、Ｈ形鋼４の長手方向に並設取着して、防水構造としたものである。この鉄筋の存在により、ピット壁部１１と凹部４ａとの間の密着性が格段に向上させることで、ピットＰ内への水漏れを防止することができる。なお、鉄筋は、Ｈ形鋼４の長手方向にある程度長く延在するＣチャネル状に形成すれば、複数個設けることを特に要しない。又、図２１は、本発明の更に異なる実施の形態を示すもので、ピット壁部１１を一対使用して、両ピット壁部１１を互いに離間させて対向させ、これらピット壁部１１の上部に上蓋３２を設置して、地下構造物を構成したもので、敷地１の上部より掘削して形成する種のトンネルに最適である。
【００３２】
【発明の効果】
以上のように、請求項１に記載の本発明は、造成すべき地下構造物に適合する敷地の境界線周囲に、適宜の間隙を置いて、前記造成すべきピットの高さより大なる深さを有する孔を複数個穿設し、該孔内にセメント混合材により根固めすることによってＨ形鋼を、その凹部側が互いに向かい合うように、建て込み固定し、次に、前記Ｈ形鋼に対向する地山側を含めて前記造成すべき前記地下構造物に適合するまで地下構造物形成用のピット穴を掘削しながら順次互いに隣り合う前記Ｈ形鋼の地山側に矢板を添設するように差し込んでいって、地山の土留めを行った後に、前記ピット穴の床付け均しを行って砕石を敷き、次に、前記Ｈ形鋼の前記ピット穴側に型枠を設置して、該型枠と前記Ｈ形鋼の凹部側及び矢板が形成する空間内にコンクリートを流し込んで、前記Ｈ形鋼および矢板とともに前記地下構造物のピット壁部を形成し、その後前記型枠を取り去るようにしたことを特徴としており、又、請求項２に記載の本発明は、前記型枠を取り去った後、前記ピット壁部の上端部に笠石コンクリートを打設して被覆したことを特徴とするものであって、Ｈ形鋼が造成すべき地下構造物の高さより大なる深さに埋め込まれ、当該部分がアンカー部となった状態で、Ｈ形鋼の凹部及び矢板と型枠が形成する空間内にコンクリートを流し込んでピット壁部を形成することになって、水の高い敷地の場合でも、敷設地下構造物の地下水による浮き上がりを防止でき、Ｈ形鋼および矢板はそのまま埋め殺しとすることになって、仮設土留めを不要となり、また、ピット壁部を形成するためのコンクリート打ちは現場打ちとなることから、敷設地下構造物への地下水の進入を確実に防げ、水密性に富んだ構造物工法といえ、しかも、地下水による敷設地下構造物の浮き上がり防止機能や水密性に富んでいることから、壁部コンクリート或いは底盤コンクリートの鉄筋量および肉厚共に少なくすることができて、この結果、コスト的にも有利であるといえる。
【００３３】
請求項３に記載の本発明は、前記ピット壁部の形成前に、前記ピット穴の底部に底盤コンクリート打ちを行って、ピット底盤部を形成したものであり、請求項４に記載された本発明は、前記ピット壁部の形成後に、前記ピット穴の底部に底盤コンクリート打ちを行って、ピット底盤部を形成したもので、当該敷地の地下水の状態で、地下水の湧水が問題無い場合には、作業のし易さから選択して、底盤コンクリート打ちをピット壁部の形成前に行い、湧水の問題がある場合には、ピット壁部の形成後に、底盤コンクリート打ちを行えばよい。
【００３４】
請求項５に記載された本発明は、前記矢板が、横矢板であることを特徴とするもので、当該敷地の形状に適合して、横矢板同士を隙間なく張設することができて、比較的地下水位の高い敷地であっても、適応可能である。
【００３５】
請求項６に記載の本発明は、前記矢板が、縦矢板であって、該縦矢板を支えるべく、互いに対向する前記Ｈ形鋼の間に等辺山形鋼等の型鋼からなる横架片を横架させたものであり、同様に、当該敷地の形状に適合して、縦矢板同士を隙間なく張設することができて、比較的地下水位の高い敷地であっても、適応可能である。そして、Ｈ形鋼間に等辺山形鋼等の型鋼からなる横架片を横架している結果、Ｈ形鋼間の間隙を長くしたとしても、その分強度的には横架片が受け持つことになり、問題はない。
【００３６】
請求項７に記載の本発明は、前記矢板が、敷き鉄板等の鋼板であることを特徴とするもので、地山の比較的状態の良い敷地である場合に好適である。そして、鋼板に剥離剤を予め塗っておく等すれば、前記ピット壁部を形成するために打設したコンクリートの強度が所定値に達したときに、静かに引き抜いてしまうこともでき、再利用によるコスト低減を図ることができる。
【００３７】
請求項８に記載の本発明は、前記矢板の前記ピット穴の側面側に防水シートを張設した後に、前記型枠とＨ形鋼の凹部及び矢板が形成する空間内にコンクリートを流し込んでピット壁部を形成するようにしたことを特徴とするもので、防水シートの存在により、矢板同士の間から万一地中水が染み出した場合でも、防水シートによって打設した生コンクリートに地中水が混じり合うのを防ぐことができ、所要強度のピット壁部を形成することが可能となる。
【００３８】
請求項９に記載の本発明は、前記Ｈ形鋼の前記ピット壁部に当接する部位に、予め、水膨張性の止水材を取着しておき、該止水材によってＨ形鋼とピット壁部との間の防水構造としたもので、前記止水材によってＨ形鋼と打設したコンクリートとの間で、密着性が低い場合に、地中水が回り込んできたとしても、止水材が膨張して、地下構造物内に漏洩させることを防止する。
【００３９】
請求項１０に記載の本発明は、前記Ｈ形鋼のピット底盤部に当接する部位に、予め、水膨張性の止水材を取着しておき、該止水材によって前記ピット壁部とピット底盤部との間の防水構造としたことを特徴とするもので、Ｈ形鋼と打設したコンクリートとの間で密着性が低い場合に、地中水が回り回り込んできたとしても、止水材が膨張して、地下構造物内に漏洩させることを防止する。
【００４０】
請求項１１に記載の本発明は、前記Ｈ形鋼の前記ピット壁部に当接する部位に、予め、鉄筋を取着しておき、該鉄筋によってＨ形鋼とピット壁部との間の防水構造としたことを特徴とするもので、前記鉄筋によってＨ形鋼と打設したコンクリートとの間で、密着性が低い場合に、地中水が回り込んできたとしても、地下構造物内に漏洩させることを防止する。
【００４１】
請求項１２に記載の本発明は、前記ピット壁部を一対使用して、該両ピット壁部を互いに離間させて対向させ、これらピット壁部の上部に上蓋を設置して構成したことを特徴とするものである。
【図面の簡単な説明】
【図１】  本発明を地下駐車場設置のためのピットに適用した場合の実施の形態による造成すべきピットに適合する敷地の周囲にＨ形鋼埋設のためのピット穴を掘削した状態を示す斜視図である。
【図２】  同じく、前記ピット穴にＨ形鋼を敷設していく過程を示す斜視図である。
【図３】  同じく、Ｈ形鋼敷設後、横矢板を敷設する過程を示す斜視図である。
【図４】  図３におけるＡ−Ａ断面図で、横矢板の敷設の途中を示している。
【図５】  同じく、図３におけるＡ−Ａ断面図で、横矢板の敷設が完了した状態を示している。
【図６】  同じく、Ｈ形鋼敷設後、型枠を設置し、ピット壁部のコンクリート打設をした状態を示す平面断面図である。
【図７】  同じく、ピット底部に砕石を敷き、ピット壁部が完成した状態を示す一部断面斜視図である。
【図８】  同じく、ピット底部にピット底盤部を敷設完成した状態を示す一部断面斜視図である。
【図９】  笠石コンクリートを敷設して、ピットが完成した状態を示す一部断面斜視図である。
【図１０】  図９のＢ−Ｂ断面図である。
【図１１】  図１０のＣ−Ｃ断面図である。
【図１２】  同じく、Ｈ形鋼の斜視図である。
【図１３】  本発明の他の実施の形態を示し、縦矢板を敷設していく過程を示す説明図である。
【図１４】  図１３のＤ−Ｄ断面図である。
【図１５】  図１３のＥ−Ｅ断面図である。
【図１６】  本発明の更に他の実施の形態を示すもので、鋼板を敷設していく過程を示す説明図である。
【図１７】  本発明の異なる他の実施の形態を示すもので、防水シートを使用した場合の一部内面側面図である。
【図１８】  図１７のＦ−Ｆ断面図である。
【図１９】  本発明の更に異なる他の実施の形態におけるＨ形鋼の斜視図である。
【図２０】  図１９におけるＨ形鋼を使用したピット壁部の一部断面図である。
【図２１】  本発明の更に他の実施の形態を示しており、底部にピット底盤部を敷設完成した状態を示す一部断面斜視図である。
【符号の説明】
１    敷地
２    孔
３    セメント混合材
４    Ｈ形鋼
５    地山
６    横矢板（矢板）
７    ピット穴（穴）
８    砕石
９    型枠
１０    空間
１１    ピット壁部（壁部）
１２    笠石コンクリート
１３    底部コンクリート
１４    ピット底盤部（底盤部）
１５    止水材
１６    縦矢板（矢板）
１７    横架片
１８    止水シート
２６    鋼板（矢板）
【図１】
0004021056.tif 000002
【図２】
0004021056.tif 000003
【図３】
0004021056.tif 000004
【図４】
0004021056.tif 000005
【図５】
0004021056.tif 000006
【図６】
0004021056.tif 000007
【図７】
0004021056.tif 000008
【図８】
0004021056.tif 000009
【図９】
0004021056.tif 000010
【図１０】
0004021056.tif 000011
【図１１】
0004021056.tif 000012
【図１２】
0004021056.tif 000013
【図１３】
0004021056.tif 000014
【図１４】
0004021056.tif 000015
【図１５】
0004021056.tif 000016
【図１６】
0004021056.tif 000017
【図１７】
0004021056.tif 000018
【図１８】
0004021056.tif 000019
【図１９】
0004021056.tif 000020
【図２０】
0004021056.tif 000021
【図２１】
0004021056.tif 000022